(57)【要約】【課題】  本発明は、このような実情に鑑み、スタンドとして用いても展示面を美的に阻害することなく、また、シートホルダーとしても繰り返し使用できるのみならず、スタンドとして用いる場合とシート収納に用いる場合とを混乱することがないようにすることを目的とする。【解決手段】  この課題を解決するために、本発明のシートホルダーは、挟み板の表面に、貫通した窓部を有する板状のフレーム部材が、その周囲複数個所で一体化され、シート状材の出入口とは異なる辺が非一体化されたシート挿入口とされてなることを特徴とする構成を採用した。【選択図】図１
2012192723.tif 000002
【特許請求の範囲】
【請求項１】
二枚の挟み板の一辺が互いに一体化され、その対辺が当該一体化された辺を中心に開閉する出入口とされてなるシートホルダーであって、挟み板の表面に、貫通した窓部を有する板状のフレーム部材が、その周囲複数個所で一体化され、前記出入口とは異なる辺が非一体化されたシート挿入口とされてなることを特徴とするシートホルダー。
【請求項２】
請求項１に記載のシートホルダーにおいて、前記挟み板は、その側部において伸縮可能なまち部により相互に連結され、前記出入口の最大開口幅が当該まち部により規制されていることを特徴とするシートホルダー。
【請求項３】
請求項１又は２に記載のシートホルダーにおいて、一方の挟み板の出入口に一辺が一体化された蓋板が設けられていることを特徴とするシートホルダー。
【請求項４】
請求項３に記載のシートホルダーにおいて、前記蓋板には、窓状貫通孔が設けられていて、当該蓋板が一体化された挟み板の表面に重ね合わせ可能に形成してあることを特徴とするシートホルダー。
【請求項５】
請求項１又は２に記載のシートホルダーにおいて、両挟み板の外表面に、それぞれフレーム部材が設けられていることを特徴とするシートホルダー。
【請求項６】
請求項１から５のいずれかに記載のシートホルダーにおいて、前記シート挿入口には、それを構成する挟み板の表面が一部露出された挿入案内面が設けられてなることを特徴とするシートホルダー。
【請求項７】
請求項１から６のいずれかに記載のシートホルダーを組立てるために板材であって、フレーム部材、一方の挟み板、他方の挟み板、第二のフレーム部材又は蓋板が、この記載の順序で直列に配置され、互いに対向する辺が一体化された形状の一枚の板材であることを特徴とするシートホルダー組立用平板。
【請求項８】
請求項７に記載のシートホルダー組立用平板において、両挟み板該当部分の両側にまち部の一側辺が一体化された形状の板材から形成されていることを特徴とするシートホルダー組立用平板。
【発明の詳細な説明】
【技術分野】
【０００１】  本発明は、二枚の挟み板の一辺が互いに一体化され、その対辺が当該一体化された辺を中心に開閉する出入口とされてなるシートホルダーとシートホルダー組立用平板に関する。
【背景技術】
【０００２】  この種シートホルダーは、写真やポスターなどのシート状材を保管、運搬するのに変形を防止する爲に多く用いられている。
一方、シート状材の運搬、保管に用いた部材を、これらを展示するためのスタンドや額縁として用いることも、特許文献１又は２に示すように既に行われていることである。
しかし、特許文献１に示すものでは、展示のために窓部を形成してしまうと封筒としては用いることができず、再使用は不可能である。
また、特許文献２の図２に示されたものでは、展示面にフレームを保持する部材が表れ、展示効果を疎外する問題があった。
【先行技術文献】
【特許文献】
【０００３】
【特許文献１】登録意匠第９７２３８３号公報
【特許文献２】実用新案登録第３０７７６１８号公報
【発明の概要】
【発明が解決した課題】
【０００４】  本発明は、このような実情に鑑み、スタンドとして用いても展示面を美的に阻害することなく、また、シートホルダーとしても繰り返し使用できるのみならず、スタンドとして用いる場合とシート収納に用いる場合とを混乱することがないようにすることを目的とする。
【課題解決のための手段】
【０００５】  本発明１のシートホルダーは、挟み板の表面に、貫通した窓部を有する板状のフレーム部材が、その周囲複数個所で一体化され、シート状材の出入口とは異なる辺が非一体化されたシート挿入口とされてなることを特徴とする。
本発明２は、本発明１のシートホルダーにおいて、前記挟み板は、その側部において伸縮可能なまち部により相互に連結され、前記出入口の最大開口幅が当該まち部により規制されていることを特徴とする。
本発明３は、本発明１又は２のシートホルダーにおいて、一方の挟み板の出入口に一辺が一体化された蓋板が設けられていることを特徴とする。
本発明４は、本発明３のシートホルダーにおいて、前記蓋板には、窓状貫通孔が設けられていて、当該蓋板が一体化された挟み板の表面に重ね合わせ可能に形成してあることを特徴とする。
本発明５は、本発明１又は２のシートホルダーにおいて、両挟み板の外表面に、それぞれフレーム部材が設けられていることを特徴とする。
本発明６は、本発明１から５のいずれかのシートホルダーにおいて、前記シート挿入口には、それを構成する挟み板の表面が一部露出された挿入案内面が設けられてなることを特徴とする。
【０００６】  本発明７は、本発明１から７のいずれかのシートホルダーを組立てるために平板であって、フレーム部材、一方の挟み板、他方の挟み板、第二のフレーム部材又は蓋板が、この記載の順序で直列に配置され、互いに対向する辺が一体化された形状の一枚の板材であることを特徴とする。
本発明８は、本発明７のシートホルダー組立用平板において、両挟み板該当部分の両側にまち部の一側辺が一体化された形状の板材から形成されていることを特徴とする。
【発明の効果】
【０００７】  上記のように構成することで、挟み板を適度な角度で開き、出入口をしたに向けて卓上などに設置すると、フレーム部材が適度な角度で斜め情報に向いたスタンドとすることができる。
そして、そのフレーム部材とこれが一体化された挟み板との間に、写真やポスターなどを挿入する場合は、前記出入口とは異なる位置になっているので、収納とは明瞭に区別でき、展示すべきでないようなものを間違ってこの間に挿入することを防止でき、展示間違いを防止することができた。
本発明２のようにまち部を設けることで、展示中の振動や誤った接触などによっても、出入口が過剰に開口して、スタンドとしての機能を失うことが無い。
本発明３のように蓋板を設けることで、上記のようにしてスタンドとして用いる場合の土台として用いることができ、少々凹凸のある設置場所にも容易に設置することが出来る。また、シート状材を収納した場合は、それが不測に脱落するのを防止することが出来る。
本発明４のように蓋板に窓状貫通孔を設けることで、この蓋板をフレーム部材が一体化されていない挟み板に一体化されていない挟み板に一体化しておけば、両面に展示面を形成することが出来る。
この場合は、蓋板と挟み板とを重ねてピンなどで固定すればよい。
本発明５のように両方の挟み板にそれぞれフレーム部材を一体化することで、互いに反対に向いた二つの展示用面をもったスタンドとして使用しえるようになった。
本発明６のように挿入案内面を設けることで、フレーム部材と挟み板との狭い挿入口にシート状材を挿入するに当たり、その位置合わせが容易になる。
【０００８】  本発明７又は８のシートホルダー組立用平板は、一枚の平板を打ち抜き成形するという極めて簡単な加工で製造することができる。また、本シートホルダーを販売するに当たり、組み立て時に必要なのり剤を同梱したり、ノリツケ箇所に両面テープの片面を接着するなりして、平板のまま販売することも可能である。
このようにすると、輸送中はコンパクトになり、輸送量力の削減や在庫スペースの縮小に有効である。
【図面の簡単な説明】
【０００９】
【図１】実施例１のシートホルダーの展示スタンドとして使用した状態を示す斜視図。
【図２】実施例１のシートホルダーとして使用している状態を示す斜視図。
【図３】実施例１のシートホルダー組立用平板の展開平面図。
【図４】実施例２のシートホルダーの展示スタンドとして使用した状態を示す斜視図。
【図５】実施例３のシートホルダーの展示スタンドとして使用した状態を示す斜視図。
【図６】実施例４のシートホルダー用組立用平板の展開平面図。
【図７】実施例５のシートホルダー用まち部の展開平面図。
【図８】実施例５のシートホルダー組立用平板の展開平面図。
【図９】実施例２の別例を示す背面側から見た斜視図。
【符号の説明】
【００１０】（１ｂ）（１ｃ）  フレーム部材
（１）（１ａ）（１ｂ）（１ｃ）  フレーム部材
（１１）  差入案内面
（２）（３）  挟み板
（４）（４ａ）  蓋板
（５’）  抜き板
（５）（５ａ）（５ｂ）（１２）  窓部
（６）（７）（６１）（７１）  まち部
（６ａ）（７ａ）（６１ａ）（７１ａ）（６１ｃ）（７１ｃ）  のりしろ
（６ｂ）（７ｂ）（６１ｂ）（７１ｂ）  補強板
（６ｄ）（７ｄ）  のりしろ貼り付け位置
（８）（８ａ）（８ｂ）（８ｃ）（８ｄ）  ノリツケ部
（Ａ）  差入口
（Ｂ）（Ｃ）（Ｄ）（Ｄａ）（Ｄｂ）（Ｇ）  折線
（Ｆ）  出入口
【発明を実施するための形態】
【００１１】  本発明は、写真やパンフレット等のシート状材が不測に折れ曲がらないように収納するシートバインダーであるから、外部から少々の力を受けても収納したシート状材に折れなどを生じさせない剛性を有する材料を用いる必要がある。
一般には、厚手の板紙、塩化ビニール樹脂板、ポリプロピレン板などが広く用いられており、本発明も、従来の材料を用いることに問題はない。
また、大きなものでは木板などを用いることも可能である。ただし樹脂、紙では、折線を付けることで、自由に屈曲させる構造とすることが出来るが、木板では、このような屈曲箇所には、樹脂シート、柔らかい皮革或いは合成ゴム板などを用いることが容易に採用可能である。
また、大きさは、収納するシート状材にあわせたものとするのが適切であり、一般には、Ａ５から全紙サイズとするのが可能である。
ただし、このサイズは、挟み板の大きさではなく収納するシート状材の大きさであり、挟み板は、これより一回り大きくして、収納したシート状材に少々の位置ずれによっても、それが外部にはみ出さないようにするのが一般である。
以下、本発明の実施例を、図面を参照して説明する。
なお、図中、一点鎖線は折線を示し、灰色部分は、ノリツケ部を示す。
【実施例１】
【００１２】  本実施例は、一方の挟み板（２）の表面にフレーム部材（１）を一体化した例を示す。（図１、２、３参照）
一対の挟み板（２）（３）は、同型同大の形状を有し、一辺にて相互に連結し、折線（Ｃ）により折り曲げ可能にしてある。
このようにして、折線（Ｃ）の対向辺側が、開閉可能とされていて、当該箇所を、シート状材（図外）を出し入れする出入口（Ｆ）としてある。
また、挟み板（３）の出入口（Ｆ）を構成する辺には、蓋板（４）の一辺が連結され、折線（Ｄ）により屈折することで、前記出入口（Ｆ）を閉じれるようにしてある。
前記出入口（Ｆ）の開き角度は、両挟み板（２）（３）を繋ぐまち部（６）（７）によって規制されている。
当該まち部（６）（７）は、挟み板（３）の両側部に一体に形成されていて、その中央には、折線（Ｇ）が形成され、出入口（Ｆ）を閉じたときにまち部（６）（７）がおれて縮小するようにしてある。
また、出入口（Ｆ）を開いて逆さにしたとき、挟み板（２）（３）がスタンドとして機能するようにしてある。
なお、補強板（６ｂ）（７ｂ）は、スタンドとして使用するときに、まち部（６）（７）が折線（Ｇ）により折れ曲がらないようにするためのもので、内側又は外側に折り曲げておくと、三次元効果により、まち部（６）（７）に折れ曲がりを無くすことができる。【００１３】  一方の挟み板（２）の出入口辺には、中央に矩形の窓部（５）が貫通形成されたフレーム部材（１）の一辺が一体連結して形成されていて、この連結箇所に折線（Ｂ）が形成されている。
そして、前記挟み板（２）の外側に前記折線（Ｂ）にて折り曲げて前記フレーム部材（１）を重ね、その左右両側を糊付けして一体化してある。
このようにして、差入口（Ａ）を持ったシートディスプレー用の展示面を構成した。
前記出入口（Ｆ）を下にしてスタンドとしたときに、前記差入口（Ａ）が上方に位置し、かつ、フレーム部材（１）が斜め上方に向く姿勢となって、当該窓部（５）に位置するシート状材の表面が、通行人などに観やすい位置に向いた写真立て、或いはポスター立てとして用いることができる。
なお、前記蓋板（４）を、出入口（Ｆ）閉じる場合とは逆のほうにまげて図１の示すように配置するとフレーム部材（１）の土台として用いることができ、卓上等の文様や色彩に影響されない空間をフレーム部材（１）の下方に形成でき、展示効果を一層良好にすることができる。【００１４】  図３は、前記図１、２に示すシートホルダーを組立てるための平板の展開図である。
当該平板は、フレーム部材（１）、第一挟み板（２）、第二挟み板（３）及び蓋板（４）がこの順で直列に並べられ、互いに対向する辺が相互に連続した形状に加工されたもので、その連結箇所には、折線（Ｂ）（Ｃ）（Ｄ）が設けられたものである。
さらに第一挟み板（２）の左右両側には、板状のまち部（６）（７）が連続形成されている。
このようにして全ての部分が、連続した一枚の平板として形成されていることより、はさみなどを用いずに、容易に組み立ててシートホルダーを作ることが出来る。
また、図中灰色の部分はノリツケ部（８）を示し、折線（Ｂ）で折り曲げたフレーム部材（１）を第一挟み板（２）に一体固定するためのものである。
なお、当該箇所のフレーム部材（１）又は第一挟み板（２）のいずれかの箇所に両面接着テープの片面を予め接着しておくことで、組立時は、その剥離紙を剥がして両者を接着でき、のり剤を別途不要とすることができる。
このようなことは、前記まち部（６）（７）ののりしろ（６ａ）（７ａ）においても同様である。
なお、のりしろ（６ａ）（７ａ）は、第二挟み板（３）の裏面の図中（６ｄ）（７ｄ）で示す貼り付け位置に接着するためのものである。
【実施例２】
【００１５】  本実施例は、展示面の差入口（Ａ）に案内面（１１）を形成した例を示す。（図４参照）
フレーム部材（１ａ）の長さを第一挟み板（２）の長さより少々短くすることで、図４に示すように、差入口（Ａ）に第一挟み板（２）の上部を露出させた差入案内面（１１）を形成することが出来る。
このように案内面（１１）を設けることで、パンフレットなどを展示面に挿入する際に、その先端を前記案内面（１１）に持たせることで、差入口（Ａ）にシート状材の先端を対向させることができるので、細い差入口（Ａ）に容易にシート状材を挿入することができるようになった。
その他の構成は前記実施例１と同様なので、図１から３と同様な符号を付けて説明を省略する。
なお、図９に示すように、フレーム板（１）の長さを少々長くし、折線（Ｃ）より少々突出させるようにして、フレーム板（１）側に差入案内面（１１ａ）を形成することも可能である。
【実施例３】
【００１６】  本実施例は、蓋板を利用して、前後両面に展示面を形成しえるようにした例を示す。（図５参照）
蓋板（４ａ）に第二の窓部（１２）を形成する。
そして、必要に応じ、この蓋板（４ａ）を第二挟み板（３）の表面に重ねて、その間に、ポスターなどを挟み込み、ピンなどで蓋板（４ａ）を第二挟み板（３）に止めると後ろ側にも展示面を作ることが出来る。
なお、その他の構成は前記実施例２と同様なので、図４と同様な符号を付けて説明を省略する。
【実施例４】
【００１７】  本実施例は、前後両面に展示面を有し、かつ蓋板をも有する例を示す。（図６参照）
図６は本実施例のシートホルダーを組立てるための板材の展開図を示す。
第二挟み板（３）から連続して第二、第三のフレーム部材（１ｂ）（１ｃ）が順次連続され、その先端に蓋板（４）が設けれられている。
その他の点は図３に示す実施例１と同様である。
このようにして、折線（Ｄ）で折り曲げ、第二フレーム部材（１ｂ）を第二挟み板（３）の表面にノリツケ（８ａ）により一体化し、この第二フレーム部材（１ｂ）の表面に、折線（Ｄａ）で折り曲げた第三フレーム部材（１ｃ）を、窓部（５ａ）（５ｂ）が位置ずれしないように重ねて、ノリツケ（８ｂ）（８ｃ）及び（８ｄ）により一体化する。
なお、ノリツケ部（８）（８ａ）は表面が、ノリツケ部（８ｂ）（８ｃ）及び（８ｄ）は裏面が接着面である。またフレーム部（１ｂ）の左右両側は、表裏両面が接着面となる。
このようにすることで、前後両面に、折線（Ｃ）に差入口を持った展示面を形成できると共に、蓋板（４）をも有するシートホルダーを構成することが出来た。
また、図６の平板は図３に示す平板と同様に、鋏やのりを別途用意することなく容易に組み立てることができるものとすることができる。
【実施例５】
【００１８】  本実施例は、平板を突出部分のないシンプルな矩形状とするにあたり、邪魔となるまち部（６ａ）（７ａ）を、なおも平板に保持される例を示す。（図７、図８参照）
窓部（５）の抜き板（５’）に、図示のように二つのまち部（６１）（７１）を打ち抜き形成する。
この場合、第一挟み板（２）との接着用のりしろ（６１ｃ）（７１ｃ）と、第二挟み板（３）との接着用のりしろ（６１ａ）（７１ａ）と、補強板（６１ｂ）（７１ｂ）とを本体と共に一体形成しておく。
このようにして、図８に示すように、窓部（５）にこれらをはめ込んでおくことで、全ての部分を矩形状の平板内に収めることが出来る。
その他は、図３と同様なので、説明を省略する。
なお、図６に示す実施例４においても、まち部をこのように構成することで、突出部分の無い矩形状にすることができる。
【図１】
2012192723.tif 000003
【図２】
2012192723.tif 000004
【図３】
2012192723.tif 000005
【図４】
2012192723.tif 000006
【図５】
2012192723.tif 000007
【図６】
2012192723.tif 000008
【図７】
2012192723.tif 000009
【図８】
2012192723.tif 000010
【図９】
2012192723.tif 000011